(57)【要約】【課題】従来の２分割止め輪と同等の軸方向固定機能を有しながら、異物浸入防止性能の向上を図る。【解決手段】２分割止め輪１７は、一対の半円状の止め輪分割体１９、１９からなる。これら止め輪分割体１９は互いに同じ形状のものであり、首部１１Ａの内径側、および首部１１Ｂの外径側にゴム等の弾性部材２０、２０を接着している。これらの弾性部材２０、２０の形状は、各止め輪分割体１９、１９を結合したときに、その結合部の隙間を塞ぐような形状としている。２分割止め輪１７の外径を軸受内輪のシール部材の摺動部を覆う程度まで大きくすることで、シール摺動部へ直接、水や異物が届かなくなり、高い異物浸入防止性能を発揮することができる。【選択図】図２
2017036750.tif 000002
【特許請求の範囲】
【請求項１】
一対の半円状の止め輪分割体からなり、各止め輪分割体の両端に互いに係脱可能な結合部を設けた２分割止め輪において、前記各止め輪分割体の外径は、軸受内輪のシール摺動部分よりも大きく、前記結合部に隙間がないことを特徴とする軸受内輪固定用の２分割止め輪。
【発明の詳細な説明】
【技術分野】
【０００１】
本発明は、軸受を軸方向に固定する２分割止め輪に関する。
【背景技術】
【０００２】
軸受を軸に装着する場合、軸方向への移動を防止する為に、例えば特許文献１の技術のように、２分割された止め輪が使用される場合がある。
【０００３】
この２分割止め輪７は、図４に示すように、一対の半円状の止め輪分割体９、９からなる。これら止め輪分割体９は互いに同じ形状のものである。各止め輪分割体９は、軸受内輪（図３を参照）の幅面に係合可能な径方向高さである板幅６ｂを有し、板厚ｔ（図５（Ｂ））比べて板幅６ｂが十分に広い板状に形成されている。すなわち、止め輪分割体９の内径ｄ（図５（Ａ））は、軸６の内径ｄ１（図４）よりも小さく、軸の止め輪溝（図示せず）の内径と略一致させてある。
【０００４】
各止め輪分割体９は、両端に互いに係脱可能な結合部１０Ａ、１０Ｂを有している。一端の結合部１０Ａは、通常幅部分９ａの端部の外径部から幅狭となって円周方向に延びる首部１１Ａ、およびこの首部１１Ａの先端から内径側へ突出して先端面が内径側に向くテーパ面となった三角形状の外径側爪１２Ａからなる。他端の結合部１０Ｂは、通常幅部分９ａの端部の内径部から幅狭となって円周方向に延びる首部１１Ｂ、およびこの首部１１Ｂの先端から外径側へ突出して先端面が外径側に向くテーパ面となった三角形状の内径側爪１２Ｂからなる。外径側爪１２Ａおよび内径側爪１２Ｂの背面である引っ掛かり面１２ａ、１２ｂは、図５のように止め輪分割体９の半径方向に対して先端が首部側１１Ａ、１１Ｂ側へ傾く傾斜角θを持たせてある。
【０００５】
これら一対の止め輪分割体９、９は、軸の止め輪溝への装着に際して、図４のように２個を１８０°位相をずらせて軸の両側から対向配置し、矢印Ｆのように互いに対向方向に押し込むことで結合させる。この押し込みに際して、対向する爪１２Ａ、１２Ｂの先端面間の接触により、外径側爪１２Ａが外側に、また組み込み初期のみ内径側爪１２Ｂが内側に逃げるように、各首部１１Ａ、１１Ｂが撓む。このような撓みが可能なように、各首部１１Ａ、１１Ｂの断面高さを小さく設定してある。外径側爪１２Ａと内径側爪１２Ｂが噛み合ったときに、図５のように装着が完了する。このように両止め輪分割体９、９を結合した状態で、爪１２Ａの先端面とこの面に対面する止め輪分割体９の通常幅部分９ａの端面との間に隙間Ｃが生じるように、通常幅部分９ａの端面９ｂを形成してある。また爪１２Ｂの外径側にも隙間Ｄが生じる。
【０００６】
このような２分割止め輪は、止め輪を２分割に形成することで、組み込み時の径方向高さの制限が無くなり、止め輪の径方向高さを自由に設計できる。そのため、このような止め輪を軸受のシール摺接部付近に配置すると、いわゆるスリンガー的な効果も期待できるが（図３を参照）、従来技術の2分割留め輪では、その結合部付近に隙間Ｃ、Ｄ（図５）があり、この隙間から水等の異物が直接軸受のシール部に掛かり、軸受内部に異物が浸入しやすいという問題があり、十分なスルンガー効果を期待することは困難であった。
【先行技術文献】
【特許文献】
【０００７】
【特許文献１】特開平９−１００８２０号公報
【発明の概要】
【発明が解決しようとする課題】
【０００８】
本発明の２分割止め輪は、上述の様な事情に鑑み、従来の２分割止め輪と同等の軸方向固定機能を有しながら、軸受内部に水や異物が浸入することの防止性能の向上を図るべく発明したものである。
【課題を解決するための手段】
【０００９】
本発明の上記目的は、下記の構成により達成される。
一対の半円状の止め輪分割体からなり、各止め輪分割体の両端に互いに係脱可能な結合部を設けた２分割止め輪において、前記各止め輪分割体の外径は、軸受内輪のシール摺動部分よりも大きく、前記結合部に隙間がない構成の２分割止め輪。
【発明の効果】
【００１０】
上述の様に構成する本発明の軸受固定用の２分割止め輪によれば、従来の２分割止め輪と同等の軸方向位置決め機能を有しながら、従来の隙間（Ｃ、Ｄ）部分を弾性体で塞いでいるため従来の２分割止め輪に比べ異物浸入や防止性能が向上している。また軸受シール部材の摺動面を充分覆う径方向幅とすることにより、軸受のシール部材との間にラビリンス隙間を設けられ、さらに効果を得ることができる。
【図面の簡単な説明】
【００１１】
【図１】本発明に係る２分割止め輪の組み込み時の状態を示す正面図である。
【図２】本発明に係る２分割止め輪の結合状態の正面図である。
【図３】本発明の２分割止め輪を用いて軸に軸受けを固定した例を示す断面図である。
【図４】従来の２分割止め輪の組み込み時の状態を示す正面図である。
【図５】従来の２分割止め輪の結合状態の正面図である。
【発明を実施するための最良の形態】
【００１２】
図１、図２及び図３を参照して、本発明に係る実施形態である２分割止め輪について説明する。尚、本実施形態の特徴は、２分割止め輪の結合部付近の隙間を塞ぐ構造を工夫した点にある。その他の部分の基本構造及び作用は、図４、図５に示した従来構造の２分割止め輪と同様であるから、同等部分には同一符号を付して、重複する説明を省略若しくは簡略にし、以下、本実施形態の特徴部分、並びに、上述した従来構造と異なる部分を中心に説明する。
【００１３】
この２分割止め輪１７は、図１に示すように、一対の半円状の止め輪分割体１９、１９からなる。これら止め輪分割体１９は互いに同じ形状のものである。
【００１４】
各止め輪分割体１９は、首部１１Ａの内径側、および首部１１Ｂの外径側にゴム等の弾性部材２０、２０を接着している。これらの弾性部材の形状は、図２のように各止め輪分割体１９、１９を結合したときに、従来２分割止め輪（図５）の隙間Ｃ、Ｄを塞ぐような形状としている。なお、本発明の実施形態である２分割止め輪は、前記の弾性部材２０、２０以外は、従来２分割止め輪（図５）と同形状である。
【００１５】
図３のように、軸受１８のシール部材２２の摺動部側の止め輪、即ち、シール部材２２が外輪固定、内輪摺動の場合の軸用の２分割止め輪１７の外径をシール部材２２の摺動部２２ａを覆う程度まで大きくすることで、シール摺動部２２ａへ直接、水や異物が届かなくなり、より高い異物浸入防止性能を発揮できる。更に２分割止め輪１７とシール部材２２との間にラビリンス隙間を設けることにより、更に異物の浸入防止性能を向上することができる。なお、図３の２１は、通常のＣ型止め輪である。
【００１６】
上述の様に構成する本発明の軸受固定用の２分割止め輪によれば、従来の２分割止め輪と同等の軸方向位置決め機能を有しながら、従来の隙間（Ｃ、Ｄ）部分を弾性体で塞いでいるため従来の２分割止め輪に比べ異物浸入や防止性能が向上している。また軸受シール部材の摺動面を充分覆う径方向幅とすることにより、軸受のシール部材との間にラビリンス隙間を設けられ、さらに効果を得ることができる。
【符号の説明】
【００１７】
７、１７  ２分割止め輪
９、１９  止め輪分割体
９ａ  通常幅部分
９ｂ  端部
１０Ａ、１０Ｂ  結合部
１１Ａ、１１Ｂ  首部
１２Ａ  外形側爪
１２Ｂ  内径側爪
１２ａ、１２ｂ  引っ掛かり面
１８  軸受
２０  弾性部材
２２  シール部材
２２ａ  摺動部
【図１】
2017036750.tif 000003
【図２】
2017036750.tif 000004
【図３】
2017036750.tif 000005
【図４】
2017036750.tif 000006
【図５】
2017036750.tif 000007